【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】
【請求項１】
ルータ経由で外部ネットワークに接続可能なホーム・ネットワーク上の機器を認証する機器間認証システムであって、
デフォルト・ゲートウェイに設定されている前記ルータのＭＡＣアドレスを保持する手段と、
前記ホーム・ネットワーク上の機器に対してアクセスする他の機器が前記ホーム・ネットワーク上に存在するかどうかを、該アクセス要求元の機器のＭＡＣアドレスがデフォルト・ゲートウェイに設定されているルータのＭＡＣアドレスに一致しないかどうかによって確認するローカル環境管理手段と、
を具備することを特徴とする機器間認証システム。
【請求項２】
一方の機器はコンテンツを正当に取得するホーム・サーバであり、他方の機器はホーム・サーバに対してコンテンツを要求し利用するクライアントであり、
双方の機器が同じホーム・ネットワーク上に存在することが確認されたことに応じて、前記ホーム・サーバは前記クライアントに対しコンテンツの提供及び／又はコンテンツに関するライセンスの発行を行なう、
ことを特徴とする請求項１に記載の機器間認証システム。
【請求項３】
前記ホーム・ネットワーク上には２台以上のホーム・サーバを設置可能であり、
ホーム・サーバ毎に、同じホーム・ネットワーク上に存在することが確認されたクライアントに対しコンテンツの提供及び／又はコンテンツに関するライセンスの発行を行なう、
ことを特徴とする請求項１に記載の機器間認証システム。
【請求項４】
クライアントは、同じホーム・ネットワーク上の２台以上のホーム・サーバからコンテンツの提供及び／又はコンテンツに関するライセンスの発行を受けることができる、
ことを特徴とする請求項３に記載の機器間認証システム。
【請求項５】
クライアントは、同じホーム・ネットワーク上の複数のホーム・サーバから取得したコンテンツを利用可能であるが、別のホーム・ネットワーク上のホーム・サーバに接続した時点で、それ以外のホーム・ネットワーク上のホーム・サーバから取得したコンテンツを利用不能となる、
ことを特徴とする請求項３に記載の機器間認証システム。
【請求項６】
ルータ経由で外部ネットワークに接続可能なホーム・ネットワーク上の機器を認証する機器間認証システムであって、
同じホーム・ネットワーク上の機器同士でホーム・ネットワークに関する同じ識別情報を共有する手段と、
各機器がホーム・ネットワークに関する同じ識別情報を共有するかどうかによって同じホーム・ネットワーク上に存在するかどうかを確認するローカル環境管理手段と、
を具備することを特徴とする機器間認証システム。
【請求項７】
各機器はデフォルト・ゲートウェイに設定されているルータのＭＡＣアドレスをホーム・ネットワークに関する識別情報として取得し、機器同士が同じデフォルト・ゲートウェイのＭＡＣアドレスを保持しているかどうかによって同じホーム・ネットワーク上に存在するかどうかを確認する、
ことを特徴とする請求項６に記載の機器間認証システム。
【請求項８】
ホーム・ネットワーク上にネットワーク識別情報を供給するローカル環境管理装置を設置し、
各機器は前記ローカル環境管理装置のＭＡＣアドレスをホーム・ネットワークに関する識別情報として取得し、機器同士が同じローカル環境管理装置のＭＡＣアドレスを保持しているかどうかによって同じホーム・ネットワーク上に存在するかどうかを確認する、
ことを特徴とする請求項６に記載の機器間認証システム。
【請求項９】
ルータ経由で外部ネットワークに接続可能なホーム・ネットワーク上の機器を認証する機器間認証方法であって、
デフォルト・ゲートウェイに設定されている前記ルータのＭＡＣアドレスを保持するステップと、
前記ホーム・ネットワーク上の機器に対してアクセスする他の機器が前記ホーム・ネットワーク上に存在するかどうかを、該アクセス要求元の機器のＭＡＣアドレスがデフォルト・ゲートウェイに設定されているルータのＭＡＣアドレスに一致しないかどうかによって確認するローカル環境管理ステップと、
を具備することを特徴とする機器間認証方法
【請求項１０】
一方の機器はコンテンツを正当に取得するホーム・サーバであり、他方の機器はホーム・サーバに対してコンテンツを要求し利用するクライアントであり、
双方の機器が同じホーム・ネットワーク上に存在することが前記ローカル環境管理ステップにより確認されたことに応じて、前記ホーム・サーバは前記クライアントに対しコンテンツの提供及び／又はコンテンツに関するライセンスの発行を行なう、
ことを特徴とする請求項９に記載の機器間認証方法。
【請求項１１】
前記ホーム・ネットワーク上には２台以上のホーム・サーバを設置可能であり、
ホーム・サーバ毎に、同じホーム・ネットワーク上に存在することが確認されたクライアントに対しコンテンツの提供及び／又はコンテンツに関するライセンスの発行を行なう、
ことを特徴とする請求項９に記載の機器間認証方法。
【請求項１２】
クライアントは、同じホーム・ネットワーク上の２台以上のホーム・サーバからコンテンツの提供及び／又はコンテンツに関するライセンスの発行を受けることができる、
ことを特徴とする請求項１１に記載の機器間認証方法。
【請求項１３】
クライアントは、同じホーム・ネットワーク上の複数のホーム・サーバから取得したコンテンツを利用可能であるが、別のホーム・ネットワーク上のホーム・サーバに接続した時点で、それ以外のホーム・ネットワーク上のホーム・サーバから取得したコンテンツを利用不能となる、
ことを特徴とする請求項１１に記載の機器間認証方法。
【請求項１４】
ルータ経由で外部ネットワークに接続可能なホーム・ネットワーク上の機器を認証する機器間認証方法であって、
同じホーム・ネットワーク上の機器同士でホーム・ネットワークに関する同じ識別情報を共有するステップと、
各機器がホーム・ネットワークに関する同じ識別情報を共有するかどうかによって同じホーム・ネットワーク上に存在するかどうかを確認するローカル環境管理ステップと、
を具備することを特徴とする機器間認証方法。
【請求項１５】
前記ローカル環境管理ステップにおいて、各機器はデフォルト・ゲートウェイに設定されているルータのＭＡＣアドレスをホーム・ネットワークに関する識別情報として取得し、機器同士が同じデフォルト・ゲートウェイのＭＡＣアドレスを保持しているかどうかによって同じホーム・ネットワーク上に存在するかどうかを確認する、
ことを特徴とする請求項１４に記載の機器間認証方法。
【請求項１６】
ホーム・ネットワーク上にネットワーク識別情報を供給するローカル環境管理装置が設置されており、
前記ローカル環境管理ステップにおいて、各機器は前記ローカル環境管理装置のＭＡＣアドレスをホーム・ネットワークに関する識別情報として取得し、機器同士が同じローカル環境管理装置のＭＡＣアドレスを保持しているかどうかによって同じホーム・ネットワーク上に存在するかどうかを確認する、
ことを特徴とする請求項１４に記載の機器間認証方法。
【請求項１７】
ルータ経由で外部ネットワークに接続可能なホーム・ネットワーク上で、ホーム・サーバに対してコンテンツを要求するクライアントとして動作する通信機器であって、
デフォルト・ゲートウェイに設定されている前記ルータのＭＡＣアドレスを保持する手段と、
アクセス要求元の機器のＭＡＣアドレスがデフォルト・ゲートウェイに設定されているルータのＭＡＣアドレスに一致しないかどうかによって同じホーム・ネットワーク上に存在するかどうかを確認するローカル環境管理手段と、
ことを特徴とする通信機器。
【請求項１８】
ホーム・ネットワーク上でコンテンツを提供するホーム・サーバとして動作し、
前記ローカル環境管理手段により同じホーム・ネットワーク上に存在することが確認された機器に対してのみコンテンツの提供及び／又はコンテンツに関するライセンスの発行を行なうコンテンツ提供手段をさらに備える、
ことを特徴とする請求項１７に記載の通信機器。
【請求項１９】
ホーム・ネットワーク上でホーム・サーバに対してコンテンツを要求するクライアントとして動作し、
前記ローカル環境管理手段により同じホーム・ネットワーク上に存在することが確認されたホーム・サーバからのみコンテンツの提供及び／又はコンテンツに関するライセンスの発行を受けるコンテンツ利用手段をさらに備える、
ことを特徴とする請求項１７に記載の通信機器。
【請求項２０】
前記ホーム・ネットワーク上には２台以上のホーム・サーバを設置可能であり、
前記コンテンツ利用手段は、前記ローカル環境管理手段により同じホーム・ネットワーク上に存在することが確認された２台以上のホーム・サーバからコンテンツの提供及び／又はコンテンツに関するライセンスの発行を受けることができる、
ことを特徴とする請求項１９に記載の通信機器。
【請求項２１】
前記コンテンツ利用手段は、同じホーム・ネットワーク上の複数のホーム・サーバから取得したコンテンツを利用可能であるが、別のホーム・ネットワーク上のホーム・サーバに接続した時点で、それ以外のホーム・ネットワーク上のホーム・サーバから取得したコンテンツを利用不能となる、
ことを特徴とする請求項１９に記載の通信機器。
【請求項２２】
ルータ経由で外部ネットワークに接続可能なホーム・ネットワーク上で、ホーム・サーバに対してコンテンツを要求するクライアントとして動作する通信機器であって、
同じホーム・ネットワーク上の機器との間でホーム・ネットワークに関する同じ識別情報を共有する手段と、
各機器がホーム・ネットワークに関する同じ識別情報を共有するかどうかによって同じホーム・ネットワーク上に存在するかどうかを確認するローカル環境管理手段と、
を具備することを特徴とする通信機器。
【請求項２３】
前記ローカル環境管理手段は、デフォルト・ゲートウェイに設定されているルータのＭＡＣアドレスをホーム・ネットワークに関する識別情報として取得するとともに、通信相手が同じデフォルト・ゲートウェイのＭＡＣアドレスを保持しているかどうかによって同じホーム・ネットワーク上に存在するかどうかを確認する、
ことを特徴とする請求項２２に記載の通信機器。
【請求項２４】
ホーム・ネットワーク上にネットワーク識別情報を供給するローカル環境管理装置が設置されており、
前記ローカル環境管理手段は、前記ローカル環境管理装置のＭＡＣアドレスをホーム・ネットワークに関する識別情報として取得するとともに、通信相手が同じローカル環境管理装置のＭＡＣアドレスを保持しているかどうかによって同じホーム・ネットワーク上に存在するかどうかを確認する、
ことを特徴とする請求項２２に記載の通信機器。
【請求項２５】
ルータ経由で外部ネットワークに接続可能で、コンテンツを正当に取得するホーム・サーバとコンテンツを要求し利用するクライアントが存在するホーム・ネットワーク上において、機器を認証するための処理をコンピュータ・システム上で実行するようにコンピュータ可読形式で記述されたコンピュータ・プログラムであって、前記コンピュータ・システムに対し、
アクセス要求元のクライアントのＭＡＣアドレスがデフォルト・ゲートウェイに設定されているルータのＭＡＣアドレスに一致しないかどうかによって、前記ホーム・サーバと前記クライアントが前記ホーム・ネットワーク上に存在するかどうかを確認するローカル環境管理手順と、
双方の機器が同じホーム・ネットワーク上に存在することが前記ローカル環境管理ステップにより確認されたことに応じて、前記ホーム・サーバは前記クライアントに対しコンテンツの提供及び／又はコンテンツに関するライセンスの発行を行なうコンテンツ提供手順と、
を実行させることを特徴とするコンピュータ・プログラム。
【手続補正２】
【補正対象書類名】明細書
【補正対象項目名】０００６
【補正方法】変更
【補正の内容】
【０００６】
著作権法の下、著作物としてのコンテンツは無断の複製や改竄などの不正使用から保護を受ける。一方、著作物の正当な利用者においては、私的な使用、すなわち個人的に又は家庭内その他これに準ずる限られた範囲内において使用することを目的としてコンテンツを複製することが許されている（著作権法第３０条を参照のこと）。
【手続補正３】
【補正対象書類名】明細書
【補正対象項目名】００１３
【補正方法】変更
【補正の内容】
【００１３】
現在、ホーム・ネットワークを構成するプロトコルとして、例えばＵＰｎＰ（登録商標）が知られている。ＵＰｎＰによれば、複雑な操作を伴うことなく容易にネットワークを構築することが可能であり、ネットワーク接続された機器間では困難な操作や設定を伴うことなくコンテンツ提供サービスを行なうことが可能となる。また、ＵＰｎＰは、オペレーティング・システム（ＯＳ）に非依存であり、容易に機器の追加ができるという利点を持つ。
【補正の内容】
【手続補正４】
【補正対象書類名】明細書
【補正対象項目名】００２９
【補正方法】変更
【補正の内容】
【００２９】
著作権法の下、著作物としてのコンテンツは無断の複製や改竄などの不正使用から保護を受ける。一方、著作物の正当な利用者においては、私的な使用、すなわち個人的に又は家庭内その他これに準ずる限られた範囲内において使用することを目的としてコンテンツを複製することが許されている。
【手続補正５】
【補正対象書類名】明細書
【補正対象項目名】００４３
【補正方法】変更
【補正の内容】
【００４３】
【発明の実施の形態】
著作権法の下、著作物としてのコンテンツは無断の複製や改竄などの不正使用から保護を受ける。一方、著作物の正当な利用者においては、私的な使用、すなわち個人的に又は家庭内その他これに準ずる限られた範囲内において使用することを目的としてコンテンツを複製することが許されている（著作権法第３０条を参照のこと）。